(57)【要約】【課題】線バネを利用した簡単な構成によって安価に製造することができ、しかも建物の点検口に蓋部材を取付ける作業を容易且つ安全に行なうことができ、且つ壁下地材のずれに対しても柔軟に対応して取付け作業を行うことができるバネ式点検口蓋を提供する。【解決手段】蓋部材３の裏側の両端近傍に対をなして固定された係止金具８、８に二股状の線バネ２の分岐部に形成した弾性螺旋部２ｂを揺動自在に装着すると共に、該弾性螺旋部２ｂから反りをなして両側に伸長された各線バネ２の先端に折返部２ｃ、２ｃが形成され、該二股状の線バネ２を弾性力に抗して閉脚した状態で止め金具５の挿着穴７に挿通した後、二股状の線バネ２が弾性力によって挿着穴７の各係止部７ｃ、７ｃに沿って開脚することにより、蓋部材３が点検口１０の方向に引き込まれて該点検口１０を閉塞するようにした。【選択図】図１
0003148917.tif 000002
【実用新案登録請求の範囲】
【請求項１】
壁面に開設された点検口を二股状に形成された線バネを用いて蓋部材で覆うようにしたバネ式点検口蓋において、
点検口の左右又は上下に設けられた壁下地材に固定する線バネ用止め金具は、断面Ｌ字形に折曲形成された２片を有し、止め金具の一片に壁下地材にネジ等の固定部材で固定するためのネジ穴が形成され、止め金具の他片に線バネを挿着するための挿着穴が形成され、該挿着穴は止め金具の外辺に沿って形成された直線辺と、該直線辺に対向形成された両側の傾斜辺と、直線辺と両側の傾斜辺との交差部にて直線辺を延長形成してなる線バネ用係止部とを有してなり、
蓋部材の裏側の両端近傍に対をなして固定された係止金具に二股状の線バネの分岐部に形成した弾性螺旋部を揺動自在に装着すると共に、該弾性螺旋部から反りをなして両側に伸長された各線バネの先端に折返部が形成され、
該二股状の線バネを弾性力に抗して閉脚した状態で止め金具の挿着穴に挿通した後、二股状の線バネが弾性力によって挿着穴の各係止部に沿って開脚することにより、蓋部材が点検口の方向に引き込まれて該点検口を閉塞するようにしたことを特徴とするバネ式点検口蓋。
【請求項２】
線バネ用止め金具は、点検口の左右又は上下に設けられた既設の壁下地材に固定する他、ボードに開設された点検口の背面の左右又は上下に固定した下地材に固定することを特徴とする請求項１記載のバネ式点検口蓋。
【考案の詳細な説明】
【技術分野】
【０００１】
本考案は、壁面に設けた点検口を塞ぐための蓋部材を取付ける構造として線バネを用いてなるバネ式点検口蓋に関する。
【背景技術】
【０００２】
従来から、建物内に設けられた配管等の建築設備を点検するために、壁面に点検口が設けられ、配管等の点検が終了した際には、点検口を蓋部材で塞ぐことが行なわれている。このような点検口を塞ぐ装置の従来例として、特許文献１には、二股状の線バネを使用した構造が記載されている。
【０００３】
この装置は、壁面に設けられた通気口に本体ケースを固定し、この本体ケースの開口をグリルで覆うようにしたものである。その構造は、二股状の線バネを開閉するための摺動板を設けた下側係止具をグリルに固定すると共に、下側係止具に係合する上側係止具を本体ケ−スの側壁に固定するようにしてあり、上側係止具によって摺動板を押し下げることにより、線バネが開状態となって、グリルが本体ケ−スに固定される構造とされている。
【０００４】
ところが、上記の引用文献１の構造は、壁面の通気口に固定する本体ケース、グリルの裏面に取付けられた二股状の線バネ、グリルに装着されたコ字状の下側係止具、本体ケ−スの側壁に装着したコ字状の上側係止具等の部材を有するため、多くの部品点数を必要とし、また摺動板に設けられた摺動穴は一端に開口部を有するため、取付け作業時に、摺動穴に挿入された線バネが開口部から抜け出すおそれがあり、危険であった。
【特許文献１】実用新案公開平７−２８３３
【考案の開示】
【考案が解決しようとする課題】
【０００５】
本考案は、上記の事情に鑑みてなされたもので、線バネを利用した簡単な構成によって安価に製造することができ、しかも建物の点検口に蓋部材を取付ける作業を容易且つ安全に行なうことができ、壁下地材のずれに対しても柔軟に対応して取付け作業を容易に行うことができるバネ式点検口蓋を提供することを目的とする。
【課題を解決するための手段】
【０００６】
上記の目的を達成するために、本考案における請求項１のバネ式点検口蓋は、壁面に開設された点検口を二股状に形成された線バネを用いて蓋部材で覆うようにしたバネ式点検口蓋において、点検口の左右又は上下に設けられた壁下地材に固定する線バネ用止め金具は、断面Ｌ字形に折曲形成された２片を有し、止め金具の一片に壁下地材にネジ等の固定部材で固定するためのネジ穴が形成され、止め金具の他片に線バネを挿着するための挿着穴が形成され、該挿着穴は止め金具の外辺に沿って形成された直線辺と、該直線辺に対向形成された両側の傾斜辺と、直線辺と両側の傾斜辺との交差部にて直線辺を延長形成してなる線バネ用係止部とを有してなり、蓋部材の裏側の両端近傍に対をなして固定された係止金具に二股状の線バネの分岐部に形成した弾性螺旋部を揺動自在に装着すると共に、該弾性螺旋部から反りをなして両側に伸長された各線バネの先端に折返部が形成され、該二股状の線バネを弾性力に抗して閉脚した状態で止め金具の挿着穴に挿通した後、二股状の線バネが弾性力によって挿着穴の各係止部に沿って開脚することにより、蓋部材が点検口の方向に引き込まれて該点検口を閉塞するようにしたことを特徴とする。
【０００７】
また、本考案の請求項２のバネ式点検口蓋は、請求項１において、線バネ用止め金具は、点検口の左右又は上下に設けられた既設の壁下地材に固定する他、ボードに開設された点検口の背面の左右又は上下に固定した下地材に固定することを特徴とする。
【考案の効果】
【０００８】
上記構成の本考案のバネ式点検口蓋において、蓋部材の裏側の両端近傍に対をなして固定された係止金具に二股状の線バネの分岐部に形成した弾性螺旋部を揺動自在に装着し、これらの二股状の線バネを弾性力に抗して閉脚した状態で止め金具の挿着穴に挿通した後、二股状の線バネが弾性力によって挿着穴の各係止部に沿って開脚することにより、蓋部材が点検口を閉じる方向へ引き込まれるように移動して点検口を覆うことが可能となる。
【０００９】
このような本考案においては、止め金具の挿着穴が開口のない閉じられた形状を有し、線バネの先端に折返部が形成されているため、線バネが止め金具の挿着穴から抜け出ることがなく、安全に取付け作業を行うことができる。
【００１０】
また、本考案は、蓋部材を閉じる作業の際に、蓋部材側に設けられた二股状の線バネを絞り込んだ閉脚状態にして、点検口側の止め金具の挿着穴に挿通するだけで、容易且つ安全に点検口を蓋部材で塞ぐことが可能であるため、上記のように部品点数が少なく、簡単な構造で、安価且つ取付けが容易なバネ式点検口蓋を得ることが可能となる。
【００１１】
また、本考案の構造においては、線バネ用止め金具を点検口の左右又は上下に設けられた壁下地材に固定する構造が非常に簡単な構造によって実現され、既成の壁下地材がなくても、ボードの裏面に下地材を固定するだけで、線バネ用止め金具を取付けることが可能となる。
【００１２】
さらに、二股状の線バネが蓋部材の裏側の係止金具に揺動可能に取付けられているため、壁下地材のずれやボードの厚さが変化する状況にも柔軟に対応し得るバネ式点検口蓋を得ることが可能となる。
【考案を実施するための最良の形態】
【００１３】
以下、本考案の実施例について図面を参照しながら説明する。
【実施例１】
【００１４】
本実施例のバネ式点検口蓋１は、例えば配管等の建築設備を点検するために、図１に示すように、建物内の壁面に開設された点検口１０を蓋部材３で閉塞し、また必要に応じて開くことができるようにした蓋部材３の開閉構造に関するものである。その構造は、図１に示すように、点検口１０の左右又は上下に設けられた壁下地材４に固定する線バネ用止め金具５と、蓋部材３に設けられた二股状の線バネ２と、線バネ２を蓋部材３に取付けるための係止金具８を主な構成部材とするものであり、非常に簡素に構成されている。
【００１５】
上記の構造において、線バネ用止め金具５は、図２（ａ）に示すように、矩形の金属板を断面Ｌ字形に折曲形成してなる２片５ａ、５ｂを有し、この止め金具５の一片５ａにネジ１５（図３（ａ）、（ｂ）参照）を挿通する２条の長穴形状のネジ穴６ａ、６ｂが互いに平行に形成され、止め金具５の他片５ｂに線バネ２を挿着するための挿着穴７が形成された構造とされている。
【００１６】
また、線バネ用止め金具５に形成された挿着穴７は、図２(ａ)に示すように、止め金具５の外辺に沿って形成された直線辺７ａと、該直線辺７ａに対向形成された両側の傾斜辺７ｂ、７ｂと、これらの直線辺７ａと両側の傾斜辺７ｂ、７ｂとの交差部にて直線辺７ａを延長形成してなる線バネ用係止部７ｃ、７ｃとを有する構造とされている。このように、止め金具５の挿着穴７は、特許文献１のような開口部を有することの無い、閉じられた穴形状とされている。
【００１７】
上記のように構成された線バネ用止め金具５は、図１に示すように、点検口１０の周囲に設けられた壁下地材４の内側面に固定される。その固定方法としては、線バネ用止め金具５のネジ穴６ａ、６ｂが形成された側の片５ａを壁下地材４の内側面に当て、ネジ穴６ａ、６ｂの適当箇所にネジ１５、１５を立てて壁下地材４にねじ込むことにより、止め金具５を固定することが可能である。
【００１８】
このような構造において、夫々のネジ穴６ａ、６ｂは長穴形状に形成されているため、両側のネジ１５、１５を緩めた状態で、長穴形状の範囲内で止め金具５をずらすことによって、止め金具５の位置を調整することができ、適当箇所でネジ１５、１５を固定することによって、止め金具５を最適箇所に位置決めすることが可能となる。
【００１９】
また、上記の線バネ用止め金具５は、既設の壁下地材４の左右又は上下の略中央位置に対向状態で固定されるものであり、図１には見えないが、図示の線バネ用止め金具５に対向する反対側の壁下地材４の内側にも線バネ用止め金具５が固定されている。
【００２０】
また、このような線バネ用止め金具５は、点検口１０の左右又は上下に設けられた既設の壁下地材４に固定する他、図３に示すように、壁用ボード１７の背面に小片の下地材１８を固定して、この下地材１８に固定することも可能である。従って、本考案による線バネ用止め金具５は、既設の壁下地材４が設けられていない箇所であっても、その点検口１０に壁用ボード１７や小片の下地材１８を利用して蓋部材３を取付けることが可能である。
【００２１】
また、蓋部材３の構造は、図１に示すように、周囲に合成樹脂製等による枠部材９を構成し、その内部に蓋板１１を固設し、蓋板１１の表面に紙をクロス糊等で貼り付けた構成とすることも可能である。このような構成において、蓋板１１の表面にクロス材料を貼ることによって、周囲の壁と同様のデザインにすることも可能であるが、白い紙等を貼ることによってクロスを不用とすることも可能である。
【００２２】
また、本実施例においては、図１に示すように、蓋部材３の裏側の両端近傍に対をなして係止金具８、８を固定する。この係止金具８は、図２(ｂ)に示すように、長尺金板を短片８ａと長片８ｂとのＬ字形に折曲形成すると共に、長片８ｂ側にネジ穴８ｃを形成してなるものである。
【００２３】
このような構造において、図１に示すように、蓋部材３の周囲に設けられた枠部材９の上下又は左右の略中央位置に補助片１３、１３を接着剤等で固定し、夫々の補助片１３に係止金具８を固定するようにしている。より詳細には、図４に示すように、二股状の線バネ２の分岐部に形成した弾性螺旋部２ｂを係止金具８に挿通し、該二股状の線バネ２を揺動自在となるように遊び１４を設けた状態にして、該係止金具８の長片８ｂを枠部材９に固定した補助片１３に当て、長片８ｂのネジ穴８ｃ（図２(ｂ)参照）にネジ１６を捩じ込むことによって、線バネ２は揺動自在に取付けられた構造となる。
【００２４】
上記の線バネ２は、図１に示すように、金属等の弾性線材を中央で弾性螺旋部２ｂに形成して二股状の線状部２ａ、２ａに分岐すると共に、各線状部２ａ、２ａに反りをなして伸長し、さらに線状部２ａ、２ａの各先端に折返部２ｃ、２ｃを形成した構成としている。これらの折返部２ｃ、２ｃを形成することによって、線状部２ａ、２ａの鋭利な先端を露呈しない状態とし、さらに折返部２ｃ、２ｃが係止金具８の各係止部７ｃ、７ｃに引っ掛かることによって、蓋部材３が不意に落下するようなことがないように、安全面での構成がなされている。
【００２５】
なお、線バネ用止め金具５を固定する壁下地材４が点検口１０の取付け位置より大きくずれた場合、木片、軽量鉄骨、樹脂片等を使用することによって、線バネ用止め金具５を取付けることが可能となる。その際、木片、軽量鉄骨、樹脂片等をネジ、釘等の固定部材で壁材に固定したり、接着剤で固定したり、またボードにクロス貼り等の壁表面仕上りを施してある場合、その表面を傷つけないようにするため、高周波接着等によって強固に固定することが可能となる。
【００２６】
上記の構造によるバネ式点検口蓋１を点検口１０に取付けるには、図１の矢印Ａで示す図のように、二股状の線バネ２の線状部２ａ、２ａを手作業で弾性力に抗して閉脚した状態に絞り込み、この絞り込んだ形状の線バネ２を壁下地材４に固定した止め金具５の挿着穴７に挿通する。この作業を蓋部材３の両側の線バネ２、２について行なった後、各線バネ２、２の絞り込みを手放すと、各線バネ２、２の線状部２ａ、２ａは弾性力によって夫々の挿着穴７の傾斜辺７ｂ、７ｂに沿って開脚しつつ各係止部７ｃ、７ｃに収納され、蓋部材３が点検口１０を閉じる方向へ引き込まれるように移動して、図５に示すように点検口１０を蓋部材３で覆うこととなる。
【００２７】
さらに、本実施例の構成において、図４の矢印Ａで示す図のように、壁下地材４をボード１７の端部に揃えて固定した場合、線バネ２の線状部２ａ、２ａはまっ直ぐに止め金具５の挿着穴７に挿通する。また、図４の矢印Ｂで示す図のように、壁下地材４をボード１７の端部から奥まった部位に固定した場合、線バネ２は揺動自在であるため、斜めに傾斜して止め金具５の挿着穴７に挿通する。さらに、図４の矢印Ｃで示す図のように、壁下地材４を２層貼りのボード１７ａ、１７ｂに固定した場合、線バネ２の線状部２ａ、２ａが所定の長さを有するため、その長さの範囲内で止め金具５の挿着穴７に挿通することが可能となる。
【００２８】
なお、上記の構成において、点検口１０を蓋部材３で閉塞した状況から開くには、蓋部材３を手動で引き出すことによって、各線バネ２、２が夫々の止め金具５、５の各係止部７ｃ、７ｃに沿って閉脚する。そして、点検口１０から離脱した状態の蓋部材３の両側の隙間に左右の手を入れ、各線バネ２、２を手動で絞り込んで、夫々の止め金具５、５の挿着穴７、７から抜き出すことにより、蓋部材３を完全に取り外すことが可能となる。
【産業上の利用可能性】
【００２９】
本考案のバネ式点検口蓋は、線バネを利用した簡単な構成によって安価に製造することができ、しかも既成の建物の点検口に蓋部材を取付ける作業を容易且つ安全に行なうことができ、且つ壁下地材のずれに対しても柔軟に対応して取付け作業を行うことができるバネ式点検口蓋として利用可能である。
【図面の簡単な説明】
【００３０】
【図１】本考案の実施例において、点検口に蓋部材を取付ける前の状況を示す斜視図である。
【図２】(ａ)は本考案の実施例における線バネ用止め金具の斜視図であり、（ｂ）は係止金具の斜視図である。
【図３】本考案の実施例における線バネ用止め金具をボードに固定した下地材に取り付けた状況を示す図であり、(ａ)は背面図（点検口の裏側から見た図）、（ｂ）は側面図である。
【図４】本考案の実施例におけるバネ式点検口蓋の断面状況を示す図であり、矢印Ａで示す図は、壁下地材をボードの端部に揃えて固定した状況を示し、矢印Ｂで示す図は、壁下地材をボードの端部から奥まった部位に固定した状況を示し、矢印Ｃで示す図は、壁下地材を２層貼りのボードを固定した状況を示すものである。
【図５】本考案の実施例における点検口に蓋部材を固定した状況を示す背面図（点検口の裏側から見た図）である。
【符号の説明】
【００３１】
１  バネ式点検口蓋
２  線バネ
２ａ  線状部
２ｂ  弾性螺旋部
２ｃ  折返部
３  蓋部材
４  壁下地材
５  止め金具
５ａ  止め金具の一片
５ｂ  止め金具の他片
６ａ、６ｂ  ネジ穴
７  挿着穴
７ａ  直線辺
７ｂ  傾斜辺
７ｃ  係止部
８  係止金具
８ａ  短片
８ｂ  長片
９  枠部材
１０  点検口
１１  蓋板
１２  ネジ穴
１３  補助片
１４  遊び
１５  ネジ
１６  ネジ
１７  壁用ボード
１７ａ、１７ｂ  二層の壁用ボード
１８  下地材
【図１】
0003148917.tif 000003
【図２】
0003148917.tif 000004
【図３】
0003148917.tif 000005
【図４】
0003148917.tif 000006
【図５】
0003148917.tif 000007